(57)【要約】【課題】外観が損なわれることなく筐体に突起が設けられるとともに、突起の塗装が剥離し難い携帯型電子機器を提供する。【解決手段】スピーカ１３を内蔵した筐体１２と、前記筐体１２の外壁面１４に開口し、前記スピーカ１３の音の出口を構成する音孔１５とを備える。前記筐体１２における前記外壁面１４の一端部に位置する端縁部１２ａに突起１６を備える。前記突起１６は、前記端縁部１２ａの外縁に沿って前記端縁部１２ａの全域に延在しかつ前記外壁面１４が指向する方向に向けて凸になる断面略円弧状に形成されている。【選択図】  図１
2010251947.tif 000002
【特許請求の範囲】
【請求項１】
スピーカを内蔵した筐体と、
前記筐体の外壁面に開口し、前記スピーカの音の出口を構成する音孔と、
前記筐体における前記外壁面の一端部に位置する端縁部に設けられ、前記端縁部の外縁に沿って前記端縁部の全域に延在しかつ前記外壁面が指向する方向に向けて凸になる断面略円弧状の突起とを備えた携帯型電子機器。
【請求項２】
請求項１記載の携帯型電子機器において、前記突起は前記筐体に一体に形成されている携帯型電子機器。
【請求項３】
請求項１または請求項２記載の携帯型電子機器において、前記外壁面に露出する表示部と、
前記外壁面に前記表示部を囲む枠状に形成された突条とを更に備え、
前記突起は、前記突条によって構成される枠の一辺に一体に形成されている携帯型電子機器。
【発明の詳細な説明】
【技術分野】
【０００１】
本発明は、筐体の外壁面に音孔が開口する携帯情報端末装置、携帯電話機、携帯型音響機器などの携帯型電子機器に関するものである。
【背景技術】
【０００２】
この種の携帯型電子機器の筐体は、それ自体が例えば机の上に載置できるように形成されている。一方、この種の携帯型電子機器は、スピーカを備えており、このスピーカによって音楽や通話時の音声などを聞くことができる構成が採られている。
前記スピーカの音の出口となる音孔は、前記筐体の外壁面に開口している。このため、この種の携帯型電子機器においては、音孔が開口する外壁面を下方に向けて机に載置したときに前記音孔が机によって塞がれてしまうことがあった。
【０００３】
このような不具合を解消した携帯型電子機器としては、例えば特許文献１に記載されている携帯電話機や、図７および図８に図示した携帯電話機などがある。
特許文献１に開示された携帯電話機は、折り畳み式のものである。この携帯電話機の前記音孔は、操作部を有する操作側筐体の外壁面であって、この筐体を机などに載置するときに下方を指向する底面に開口している。
【０００４】
特許文献１に示す携帯電話機においては、載置時に前記音孔が塞がれることを防ぐために、操作側筐体における音孔の近傍に前記底面から突出する突起が設けられている。すなわち、この携帯電話機においては、前記底面が机に接触するように載置した状態であっても突起が机の載置面に接触し、前記底面と机との間に隙間が形成される。この結果、スピーカの音は、音孔から前記隙間を通って外部に伝播することができる。前記突起は、操作部側筐体の底面の略中央部に一体に形成されたり、前記筐体に着脱可能に取付けられた蓋部材に形成されている。
【０００５】
図７および図８に示した携帯電話機１は、表示部２が外壁面３に露出する筐体４を備えている。前記外壁面３の一端部には音孔５が開口している。この携帯電話機１においては、表示部２を下方に向けて机（図示せず）などに載置した場合であっても音が聞こえるように、外壁面３の一端部に突起６が設けられている。この突起６は、前記筐体４における前記音孔５に近接する端縁部４ａに形成されている。この突起６の形状は、前記端縁部４ａの一部が部分的に突出する形状である。突起６の突出端部は、略平坦になるように形成されている。
【先行技術文献】
【特許文献】
【０００６】
【特許文献１】特開２００５−２８６７０２号公報
【発明の概要】
【発明が解決しようとする課題】
【０００７】
特許文献１に開示されている突起や図７，８に図示した突起６は、筐体の外表面に局部的に設けられており、目立つものである。このため、特許文献１や図７，８に示す携帯電話機は、突起によって外観が損なわれるという問題があった。特に、図７，８に示す突起６は、突起６の先端が筐体の外形に稜線となって現れ易いから、携帯電話機１の意匠の制約を大きくするものであった。
【０００８】
また、図７，８に示す突起６は、先端部の面積が小さく、塗装が剥離し易いという問題があった。これは、この突起６においては、突起６の両端の角部分が最初に机などの載置面に接触することが多く、前記角部分が繰り返し机に当たることが原因であると考えられる。
【０００９】
本発明はこのような問題を解消するためになされたもので、音が伝播される隙間を形成するために突起を備えているにもかかわらず、外観が損なわれることがなく、しかも前記突起の塗装が剥離し難い携帯型電子機器を提供することを目的とする。
【課題を解決するための手段】
【００１０】
この目的を達成するために、本発明に係る携帯型電子機器は、スピーカを内蔵した筐体と、前記筐体の外壁面に開口し、前記スピーカの音の出口を構成する音孔と、前記筐体における前記外壁面の一端部に位置する端縁部に設けられ、前記端縁部の外縁に沿って前記端縁部の全域に延在しかつ前記外壁面が指向する方向に向けて凸になる断面略円弧状の突起とを備えているものである。
【発明の効果】
【００１１】
本発明においては、筐体の一つの端縁部は突起のみによって形成される。このため、本発明に係る携帯型電子機器においては、突起を有する部分を見た者に違和感を与えることがない意匠を実現することができる。
したがって、本発明によれば、突起によって外観が損なわれることはないから、商品性が高い携帯型電子機器を提供することができる。
【００１２】
また、前記突起は、断面円弧状に形成されているから、突起の頂部のみならず両端部の近傍においても例えば机の載置面と接触可能である。このため、前記外壁面が下方を指向する状態で筐体を机に載置する動作を繰り返し行ったとしても、突起の一箇所が机に繰り返し接触するようなことは少なくなる。
したがって、突起が最初に机と接触するときの接触点が突起の広い範囲に分散するから、突起の塗装が剥離し難くなる。この結果、この発明によれば、長期間にわたって突起が塗装された状態に保たれるから、品質が高い携帯型電子機器を提供することができる。
【図面の簡単な説明】
【００１３】
【図１】本発明に係る携帯型電子機器の構成を示す斜視図である。
【図２】本発明が適用された携帯端末装置の斜視図である。
【図３】本発明が適用された携帯端末装置の正面図である。
【図４】本発明が適用された携帯端末装置の概略構成を説明するための断面図で、同図は、筐体の内部を省略して外形が分かるように描いてある。同図の破断位置は、図３においてＡ−Ａ線によって示す位置である。
【図５】本発明が適用された携帯端末装置の平面図である。
【図６】要部を拡大して示す断面図である。同図の破断位置は、図３においてＡ−Ａ線によって示す位置である。
【図７】従来の携帯型電子機器の斜視図である。
【図８】従来の携帯型電子機器の斜視図で、同図（Ａ）は平面図、同図（Ｂ）は正面図、同図（Ｃ）は（Ｂ）図におけるＢ−Ｂ線断面図である。同図（Ｃ）は、筐体の内部を省略して外形が分かるように描いてある。同図（Ｃ）の破断位置は、（Ｂ）図においてＢ−Ｂ線によって示す位置である。
【発明を実施するための形態】
【００１４】
以下、本発明に係る携帯型電子機器の一実施例を図１によって説明する。図１に示す携帯型電子機器１１は、携帯情報端末装置、携帯電話機、携帯型音響機器などによって構成されている。この携帯型電子機器１１の筐体１２の内部にはスピーカ１３が設けられている。スピーカ１３は、携帯情報端末装置や携帯型音響機器の場合は音楽を聞くことができ、携帯電話機の場合は音楽と通話時の音声とを聞くことができるものである。
【００１５】
前記筐体１２は、所定の色に塗装されている。この筐体１２の外壁面１４には、前記スピーカ１３の音の出口を構成する音孔１５が形成されている。また、この筐体１２における前記外壁面１４の一端部に位置する端縁部１２ａには、突起１６が設けられている。図１に示す突起１６は、構成を理解し易くするために誇張して描いてある。実際の突起１６は、後述する別の実施例に示すようにきわめて微小なものである。
【００１６】
前記突起１６は、前記外壁面１４が下方を指向する状態（以下、この状態を単に「下向きの状態」という）で筐体１２を例えば机（図示せず）の載置面に載置したときに筐体１２と机との間に隙間を形成するためのものである。前記下向きの状態で筐体１２が机に載置されている場合、スピーカ１３の音は、前記音孔１５から前記外壁面１４と机との間の隙間を通過してから携帯型電子機器１１の外に伝播する。
【００１７】
前記突起１６は、前記端縁部１２ａの外縁に沿ってこの端縁部１２ａの全域に延在している。また、この突起１６は、前記外壁面１４が指向する方向に向けて凸になる断面略円弧状に形成されている。
【００１８】
この実施例においては、筐体１２の一つの端縁部１２ａは突起１６のみによって形成される。このため、この実施例による携帯型電子機器１１においては、突起１６を有する部分を見た者に違和感を与えることがない意匠を実現することができる。
したがって、この実施例によれば、突起１６によって外観が損なわれることはないから、商品性が高い携帯型電子機器１１を提供することができる。
【００１９】
前記突起１６は、断面円弧状に形成されているから、突起１６の頂部のみならず両端部の近傍においても例えば机などに接触可能である。このため、前記下向きの状態で筐体１２を机に載置する動作を繰り返し行ったとしても、突起１６の一箇所が机に繰り返し接触するようなことは少なくなる。
【００２０】
したがって、突起１６が最初に机と接触するときの接触点が突起１６の広い範囲に分散するから、突起１６の塗装が剥離し難くなる。
この結果、この実施例によれば、長期間にわたって突起１６が塗装された状態に保たれるから、品質が高い携帯型電子機器１１を提供することができる。
【００２１】
次に、本発明に係る携帯型電子機器の具体的な実施例を図２〜図６を用いて詳細に説明する。これらの図において、前記図１によって説明したものと同一もしくは同等の部材については、同一符号を付して説明する。この実施例においては、本発明を携帯電話機に適用する場合の一例を説明する。
【００２２】
図２〜図６において、携帯電話機２１は、表示部２２を有する上側筐体２３と、この上側筐体２３を平行移動可能に支持する下側筐体２４とを備えている。この実施例においては、前記上側筐体２３が本発明でいう「筐体」を構成している。
上側筐体２３と下側筐体２４とは、図３に示すように、正面視においてそれぞれ長方形状に形成されている。以下においては、前記長方形の長辺が延在する方向を縦方向といい、短辺が延在する方向を横方向という。
【００２３】
上側筐体２３は、図６に示すように、上方（図３の紙面の上方）に向けて開口する箱状に形成された上側筐体本体３１と、この上側筐体本体３１の開口部を閉塞するスクリーン３２とから構成されている。前記表示部２２は、後述するスクリーン３２と、このスクリーン３２の内側に設けられた液晶表示ユニット２２ａ（図１参照）とを用いて構成されている。この実施例においては、前記上側筐体本体３１の上面（図３に現れる面）と、スクリーン３２の上面とが本発明でいう「筐体の外壁面」を構成している。
【００２４】
前記上側筐体本体３１は、前記縦方向と横方向とに延在する長方形の板状に形成された底壁３１ａ（図６参照）と、この底壁３１ａの外縁部分から上方（図３の紙面の上方）に延在する左側縦壁３１ｂ（図３参照）、右側縦壁３１ｃ、上側横壁３１ｄおよび下側横壁３１ｅなどを用いて箱状に形成されている。前記左側縦壁３１ｂと右側縦壁３１ｃとは、底壁３１ａの横方向の両端部において前記縦方向に延在している。前記上側横壁３１ｄと下側横壁３１ｅとは、前記底壁３１ａの縦方向の両端部において横方向に延在している。
【００２５】
前記底壁３１ａは、下側筐体２４に図示していないスライド機構を介して連結されている。このスライド機構は、上側筐体２３を下側筐体２４に対して縦方向に平行移動させる構成が採られている。上側筐体２３の平行移動は、図２〜図４に示す収納位置と、この収納位置から図３、図４において上側筐体２３が下側筐体２４より上側に移動した展開位置との間で行われる。上側筐体２３が展開位置に移動することにより、下側筐体２４に設けられている操作部３３（図４参照）が露出する。この操作部３３には、この携帯電話機２１を操作するための各種のキースイッチが設けられている。
【００２６】
前記スクリーン３２は、透明な硬質のプラスチックを使用して前記上側筐体本体３１の開口部分に嵌合する形状に形成されている。すなわち、このスクリーン３２は、前記表示部２２の外表面を構成している。この結果、表示部２２は、上側筐体２３の外壁面１４に露出することになる。なお、スクリーン３２を形成する材料は適宜変更することができる。
【００２７】
この実施例によるスクリーン３２は、図６に示すように、上側筐体本体３１の開口縁より内側に位置付けられた状態で上側筐体本体３１に固着されている。すなわち、上側筐体本体３１の左側縦壁３１ｂ、右側縦壁３１ｃ、上側横壁３１ｄおよび下側横壁３１ｅは、スクリーン３２より上方（図３の紙面の上方であって、スクリーン３２の外表面が指向する方向）に突出している。このように前記各壁３１ｂ〜３１ｅがスクリーン３２より突出することにより、前記表示部２２を囲む枠状の突条３４（図２および図３参照）が各壁３１ｂ〜３１ｅの突出部分を用いて形成される。
【００２８】
このように表示部２２の周囲に突条３４が形成されているために、表示部２２が下方を指向する状態（以下、この状態を単に下向きの状態という）で上側筐体２３を机３５（図６参照などに載置したときに表示部２２が机３６の載置面３６ａに接触することを防ぐことができる。
前記スクリーン３２における前記上側横壁３１ｄの近傍となる縦方向の一端部であって、横方向の中央部には、音孔１５が穿設されている。
【００２９】
この音孔１５は、横方向に長い長円状に形成され、スクリーン３２を貫通してスクリーン３２の上面に開口している。この音孔１５は、上側筐体２３内に設けられているスピーカ１３（図３および図６参照）の音を上側筐体２３の外に出すためのものである。スピーカ１３は、通話時の音声や音楽を聞くことができるものが用いられている。
【００３０】
音孔１５の近傍に位置する上側横壁３１ｄには、図５に示すように、上側筐体２３を前記下向きの状態で机３６などに載置したときに音の伝播する空間を確保するために、突起１６が設けられている。この突起１６は、上側筐体２３の外壁面１４の一端部に位置する端縁部２３ａ（図３参照）に、この端縁部２３ａの全域に延在する形状に形成されている。突起１６の形状は、外壁面１４が指向する方向に向けて凸になる断面略円弧状である。なお、突起１６の断面形状は、曲率が一定の円弧状に限定されることはなく、楕円の一部をなすような円弧状など、適宜変更することができる。
【００３１】
この実施例に示す突起１６は、図２に示すように、表示部２２を囲む前記突条３４によって構成された長方形状の枠の一辺（上側横壁３１ｄ）に一体に形成されている。この突起１６における突出量が最も多くなる頂部は、突条３４の他の部分（左側縦壁３１ｂ、右側縦壁３１ｃおよび下側横壁３１ｅなどによって形成されている部分）より上方（図３の紙面の上方）に突出している。すなわち、突起１６の前記頂部とスクリーン３２の外表面との段差ｈ１は、図４に示すように、前記突条３４の他の部分とスクリーン３２の外表面との段差ｈ２より大きくなる。
【００３２】
このため、上側筐体２３を前記下向きの状態で机３６に載置したときには、図６に示すように、机３６と上側筐体２３との間に隙間ｄが形成される。この状態において、音孔１５から出たスピーカ１３の音は、スクリーン３２と机３６との間の空間と、左側縦壁３１ｂおよび右側縦壁３１ｃと机３６との間を通過して外に伝播することができる。すなわち、この携帯電話機２１は、通話中に上側筐体２３が下向きの状態で机３６に置かれたとしても、音声を聞くことができるものである。
【００３３】
図２〜図６に示したように突起１６を形成する場合であっても図１に示した実施例と同等の効果を奏する。すなわち、上側筐体２３の一つの端縁部２３ａが突起１６のみによって形成されるから、突起１６を有する部分を見た者に違和感を与えることがない。このため、突起１６によって外観が損なわれることはないから、商品性が高い携帯電話機２１を提供することができる。
【００３４】
また、前記突起１６は、断面円弧状に形成されているから、突起１６の頂部のみならず両端部の近傍においても例えば机３６の載置面３６ａと接触可能である。このため、前記下向きの状態で上側筐体２３を机３６に載置する動作を繰り返し行ったとしても、突起１６の一箇所が机３６に繰り返し接触するようなことは少なくなる。
【００３５】
したがって、突起１６が最初に机３６と接触するときの接触点が突起１６の広い範囲に分散するから、突起１６の塗装が剥離し難くなる。この結果、この実施例によれば、長期間にわたって突起１６が塗装された状態に保たれるから、品質が高い携帯電話機２１を提供することができる。
【００３６】
この実施例においては、前記突起１６は上側筐体２３に一体に形成されているから、突起部分と上側筐体２３とを分ける境界線が形成されることがない。このため、この実施例によれば、より一層外観が向上した携帯電話機２１を提供することができる。
【００３７】
さらに、この実施例においては、表示部２２を保護するために設けられている突条３４に突起１６が一体に形成されている。このため、この実施例による携帯電話機２１は、すっきりとした意匠が得られ、突起１６が設けられていることを使用者に意識させることがないものとなる。
【００３８】
上述した各実施例においては、平面視長方形状に形成された外壁面１４の短辺となる端縁部２３ａに突起１６を設ける例を示したが、突起１６は、前記外壁面１４の長辺となる端縁部（図３においては左側縦壁３１ｂまたは右側縦壁３１ｃ）に設けることができる。
【符号の説明】
【００３９】
１１…携帯型電子機器、１２…筐体、１３…スピーカ、１４…外壁面、１５…音孔、１６…突起、２１…携帯電話機、２２…表示部、２３…上側筐体、２４…下側筐体、３１…上側筐体本体、３１ｄ…上側横壁、３２…スクリーン、３４…突条。
【図１】
2010251947.tif 000003
【図２】
2010251947.tif 000004
【図３】
2010251947.tif 000005
【図４】
2010251947.tif 000006
【図５】
2010251947.tif 000007
【図６】
2010251947.tif 000008
【図７】
2010251947.tif 000009
【図８】
2010251947.tif 000010